(57)【要約】【課題】シャーシの歪みを防止し、開口部を覆うカバー類の取付・取外し作業が容易な空気調和機の室外ユニットを提供する。【解決手段】圧縮機６を内蔵すると共に下部に開口部１４ａを有するシャーシ１を備え、前記開口部１４ａの一端に、前記シャーシ１の上部と下部とを連結する略Ｌ字状あるいは略コの字状の保持部材１８を配したもので、開口部１４ａが保持部材１８で支えられることにより、開口部１４ａを設けたシャーシ１の一部が前方に傾斜したり、倒れたりすることが無く、正規の位置に収まるためシャーシ１の歪みがなくなるとともに、開口部１４ａを覆うカバー類（図示せず）の取付・取外し作業が容易になる。【選択図】図１
2009041846.tif 000002
【特許請求の範囲】
【請求項１】
圧縮機を内蔵すると共に下部に開口部を有するシャーシを備え、前記開口部の一端に、前記シャーシの上部と下部とを連結する略Ｌ字状あるいは略コの字状の保持部材を配したことを特徴とする空気調和機の室外ユニット。
【請求項２】
保持部材は、内外接続配管を通すための切欠きあるいは開口部を有することを特徴とする請求項１に記載の空気調和機の室外ユニット。
【請求項３】
保持部材の横断面形状を円弧状としたことを特徴とする請求項１または２に記載の空気調和機の室外ユニット。
【請求項４】
保持部材を、内外接続配管を配する空間部と圧縮機を配する空間部との境界部に配したことを特徴とする請求項１〜３のいずれか１項に記載の空気調和機の室外ユニット。
【発明の詳細な説明】
【技術分野】
【０００１】
本発明は、空気調和機の室外ユニットに関するもので、より詳細には、室外ユニットの外郭を形成するシャーシの構造に関するものである。
【背景技術】
【０００２】
従来、大能力タイプの空気調和機の室外ユニットや、パッケージエアコンの室外ユニットでは、室外ユニットの横連続設置対応により、一般のルームエアコンでは、外装部から突出している配管接続部が、室外ユニット内部に収納されており、配管工事の多様化に対応するため接続配管の引廻しは、前後、下、横方向への対応が可能となっている。そのため、特に、後ろ配管接続時の配管を引廻す際の対応として機械室部の側板は、下方のみが単独で、数本のネジを緩めることで簡単に取外せる構成となっている（例えば、特許文献１参照）。
【０００３】
以下に、上記特許文献１に記載された従来の空気調和機の室外ユニットのシャーシ構成を図３を用いて説明する。
【０００４】
図３において、従来の空気調和機の室外ユニットのシャーシ１は、外箱２及び基板３で形成され、内部にファン４を内蔵する風回路室５、圧縮機６と電装箱７を内蔵する機械室８が設けられ、風回路室５と機械室８は、仕切板９にて隔てられている。外箱２は、天面を覆う天板１０と、前面部を覆い送風機（図示せず）の吹き出し口１１を設けた吹き出し口部前板１２と、機械室８の前面を覆い下方の一部に開口部１３ａを有する断面略Ｌ字状の機械室部前板１３と、機械室８の右側面から後面を覆うと共に、下方の一部に開口部１４ａを有する断面略Ｌ字状の右側板１４と、右側面部から前面の一部にかけて開口部１３ａを覆う前配管カバー１５と、右側面部から後面の１部にかけて開口部１４ａを覆う後配管カバー１６から構成されている。
【０００５】
電装箱７は、片側を仕切板９にもう片側は右側板１４にそれぞれ係止され、後配管カバー１６は、ビス等により右側板１４から分割して着脱可能に設けて構成している。
【０００６】
以上のように、配管工事の際に、後配管する場合は、機械室部前板１３と前配管カバー１５および後配管カバー１６を取り外して工事することができるため、右側板１４を取外す必要がなく作業効率が良い。
【特許文献１】特開２００２−２５０５４４号公報
【発明の開示】
【発明が解決しようとする課題】
【０００７】
しかしながら、上記従来の空気調和機の室外ユニットのシャーシ構成では、右側板１４には、電装箱７の重量がかかるとともに、下方は、後配管カバー１６と分割されて直接基板３にビス固定できないことから、右側板１４が、前方へ傾斜して倒れようとする力が掛かってしまい、組立作業時において後配管カバー１６を取付る際にビス穴がずれてしまうという課題があった。
【０００８】
また、現地での設置時において、後配管カバー１６を取り外す際に、右側板１４の前方への倒れ傾斜により基板３との間にはさみこまれることから作業性が悪くなるとともに、シャーシの外観歪みの要因となっていた。
【０００９】
さらに、配管工事のばらつきにより、後へ引廻した内外接続配管１７と機械室８内の圧
縮機６が接触することで、圧縮機６の運転振動が内外接続配管１７に伝播し異常音発生の要因ともなっていた。
【００１０】
本発明は、上記従来の課題を解決するもので、安価な構成で、開口部を有するシャーシの一部が倒れたり、傾斜したりするのを防止するとともに、機械室内での圧縮機と内外接続配管の接触を防止し、信頼性の高い空気調和機の室外ユニットを提供することを目的とするものである。
【課題を解決するための手段】
【００１１】
上記従来の課題を解決するために、本発明の空気調和機の室外ユニットは、圧縮機を内蔵すると共に下部に開口部を有するシャーシを備え、前記開口部の一端に、前記シャーシの上部と下部とを連結する略Ｌ字状あるいは略コの字状の保持部材を配したもので、開口部が保持部材で支えられることにより、開口部を設けたシャーシの一部が前方に傾斜したり、倒れたりすることが無く、正規の位置に収まるためシャーシの歪みがなくなるとともに、開口部を覆うカバー類の取付・取外し作業が容易になる。
【発明の効果】
【００１２】
本発明の空気調和機の室外ユニットは、安価な構成で、開口部を設けたシャーシの一部が前方に傾斜したり、倒れたりすることが無く、また、圧縮機と内外接続配管の接触を防ぐことで異常音の発生が防止できるものである。
【発明を実施するための最良の形態】
【００１３】
第１の発明は、圧縮機を内蔵すると共に下部に開口部を有するシャーシを備え、前記開口部の一端に、前記シャーシの上部と下部とを連結する略Ｌ字状あるいは略コの字状の保持部材を配したもので、開口部が保持部材で支えられることにより、開口部を設けたシャーシの一部が前方に傾斜したり、倒れたりすることが無く、正規の位置に収まるためシャーシの歪みがなくなるとともに、開口部を覆うカバー類の取付・取外し作業が容易になる。
【００１４】
第２の発明は、特に、第１の発明の保持部材は、内外接続配管を通すための切欠きあるいは開口部を有するもので、空気調和機の室外ユニットの後ろ側へ冷媒配管を、容易に引廻すことができる。
【００１５】
第３の発明は、特に、第１又は第２の発明の保持部材の横断面形状を円弧状としたもので、内外接続配管を後ろに引廻す際に、内外接続配管が保持部材の円弧状部で案内され配管成型が容易にできるとともに、内外接続配管と保持部材の接触部が円弧状であるため内外接続配管の傷付きを防ぐことができる。
【００１６】
第４の発明は、特に、第１〜３のいずれか一つの発明の保持部材を、内外接続配管を配する空間部と圧縮機を配する空間部との境界部に配したもので、圧縮機と内外接続配管との間に保持部材が介在されるので、両者が接触することがなく、異常音の発生を防ぐことができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における空気調和機の室外ユニットのシャーシを構成する右側板下方の斜視図である。尚、上記従来の空気調和機の室外ユニットと同一部分については、同一符号を付してその説明を省略する。
【００１９】
本実施の形態における空気調和機の室外ユニットは、図１に示すように、右側板１４の開口部１４ａの一端に、基板３と右側板１４の下端を結ぶ保持部材１８を、機械室８内の内外接続配管１７を配する空間部と圧縮機６を配する空間部の境界部に配したものである。保持部材１８は、上端に位置し右側板１４の下端部にビス等により係止される上係止部１８ａと、下端に位置し基板３にビス等により係止される下係止部１８ｂと、中央部に位置し内外接続配管１７を通すための開口部１８ｃから形成されている。
【００２０】
これにより、右側板１４の開口部１４ａが、保持部材１８により支持されるため、前方へ倒れ傾斜することがなく所定の位置に収めることができ、シャーシ１の歪みがなくなるとともに後配管カバー１６の取付け・取外しの作業がスムーズに行える。
【００２１】
また、冷媒配管工事の際に、後配管する場合は、保持部材１８の開口部１８ｃに内外接続配管１７を配することで可能となるとともに、開口部１８ｃにより、内外接続配管１７と圧縮機６が接触することを防止できるため、圧縮機６の運転振動が内外接続配管１７に伝播することがなく異常音の発生を防止することができる。
【００２２】
尚、上記実施の形態では、保持部材１８に、内外接続配管１７を通すために開口部１８ｃを設けたが、切り欠きでも良い。
【００２３】
（実施の形態２）
図２は、本発明の第２の実施の形態における空気調和機の室外ユニットの保持部材の横断面図である。なお、上記実施の形態と同一部分については同一符号を付してその説明を省略する。
【００２４】
本実施の形態では、図２に示すように、保持部材１８の開口部１８ａの横断面形状を円弧状に形成したもので、内外接続配管１７を後ろに引廻す際に、内外接続配管１７が保持部材１８の断面円弧状の開口部１８ｃに案内され配管成型が容易にできるとともに、内外接続配管１７と開口部１８ｃの接触部が円弧状であるため、内外接続配管１７の傷付きを防ぐことができる。
【産業上の利用可能性】
【００２５】
以上のように、本発明に係る空気調和機の室外ユニットは、安価な構成で、確実に、しかも簡単に、開口部を設けたシャーシの一部の倒れ傾斜を防止できると共に、圧縮機と内外接続配管の接触を防ぐことで異常音の発生が防止できるので、作業効率が非常に良く、室外ユニットの品質も向上する。そのため、空気調和機の室外ユニットだけに限らず、設置時もしくはサービス時に着脱を要する扉などを有する各種機器もしくは装置などの用途にも適用できる。
【図面の簡単な説明】
【００２６】
【図１】本発明の実施の形態１における空気調和機の室外ユニットのシャーシを構成する右側板下方の斜視図
【図２】本発明の実施の形態２における空気調和機の室外ユニットの保持部材の横断面図
【図３】従来の空気調和機の室外ユニットの展開斜視図
【符号の説明】
【００２７】
１  シャーシ
６  圧縮機
１４ａ  開口部
１７  内外接続配管
１８  保持部材
１８ｃ  開口部
【図１】
2009041846.tif 000003
【図２】
2009041846.tif 000004
【図３】
2009041846.tif 000005